(57)【要約】【課題】ユーザによって異なる情報の必要度を十分に反映した再生を行うことのできる再生装置を提供すること。【解決手段】ＤＶＤレコーダ１０は、各時点の再生速度を、ＤＶＤドライブ１３と、ＭＰＥＧデコーダ１４と、表示制御部１５とによる信号処理の過程で得られる、各時点におけるＣＭ識別情報に応じてＣＰＵ１８の不図示のメモリに記憶されているＣＭ再生速度と、通常の再生速度とから選択するＣＰＵ１８と、ＣＭ再生速度を入力するリモコン１７とを有することを特徴とする。【選択図】図１
2008097708.tif 000002
【特許請求の範囲】
【請求項１】
記録媒体の記録信号を読み出し、各種信号処理を施すことによって再生を行う再生装置であって、
各時点の再生速度を、前記各種信号処理の過程で得られる、各時点におけるＣＭ識別情報に応じて２つの候補速度から選択する制御部と、
２つの前記候補速度のうちの１つ以上の前記候補速度を入力する候補速度入力部とを有することを特徴とする再生装置。
【請求項２】
記録媒体の記録信号を読み出し、各種信号処理を施すことによって再生を行う再生装置であって、
各時点の再生速度を、前記各種信号処理の過程で得られる、各時点における情報に応じて複数の候補速度から選択する制御部と、
複数の前記候補速度のうちの１つ以上の前記候補速度を入力する候補速度入力部とを有することを特徴とする再生装置。
【請求項３】
前記制御部は、各時点の再生速度を、前記各種信号処理の過程で得られる、各時点におけるＣＭ識別情報に応じて２つの候補速度から選択することを特徴とする請求項２に記載の再生装置。
【請求項４】
前記制御部は、各時点の再生速度を、前記各種信号処理の過程で得られる、各時点における音量情報に応じて複数の候補速度から選択することを特徴とする請求項２に記載の再生装置。
【請求項５】
前記制御部は、各時点の再生速度を、前記各種信号処理の過程で得られる、各時点における音量情報と；１つ以上の閾音量情報と；の大小関係に応じて複数の候補速度から選択することを特徴とする請求項４に記載の再生装置。
【請求項６】
１つ以上の前記閾音量情報を入力する閾音量情報入力部を有することを特徴とする請求項５に記載の再生装置。
【請求項７】
記録媒体の記録信号を読み出し、各種信号処理を施すことによって再生を行う再生装置の動作を制御するプログラムであって、
各時点の再生速度を、前記各種信号処理の過程で得られる、各時点における情報に応じて複数の候補速度から選択する速度選択ステップと、
複数の前記候補速度のうちの１つ以上の前記候補速度の入力を検出する候補速度検出ステップとを有することを特徴とするプログラム。
【請求項８】
前記速度選択ステップにおいては、各時点の再生速度を、前記各種信号処理の過程で得られる、各時点におけるＣＭ識別情報に応じて２つの候補速度から選択することを特徴とする請求項７に記載のプログラム。
【請求項９】
前記速度選択ステップにおいては、各時点の再生速度を、前記各種信号処理の過程で得られる、各時点における音量情報に応じて複数の候補速度から選択することを特徴とする請求項７に記載のプログラム。
【発明の詳細な説明】
【技術分野】
【０００１】
本発明は、記録媒体の記録信号を読み出し、各種信号処理を施すことによって再生を行う再生装置に関する。また、本発明は、そのような再生装置の動作を制御するプログラムに関する。
【背景技術】
【０００２】
以前より、ビデオカセット、ＤＶＤ、ハードディスクなどの記録媒体の記録信号を読み出し、各種信号処理を施すことによって再生を行う再生装置として、ビデオカセットレコーダ、ＤＶＤレコーダ、ハードディスクレコーダなどが広く普及している。
【０００３】
一般に、記録媒体には、あるユーザにとって、必要度の異なる様々な情報が混在している。例えば、記録媒体に放送情報が記録されている場合には、多くのユーザにとって、番組情報の必要度は高く、ＣＭ情報の必要度は低い。また、例えば、多くのユーザにとって、音量の大きい情報の必要度は高く、音量の小さい情報の必要度は低い。何故なら、スポーツ番組における得点シーンなど、多くのユーザにとって必要度の高い情報は、その音量も大きい場合が多いからである。
【０００４】
そのため、多くのユーザにとって必要度の高い情報と、必要度の低い情報との間で再生速度を変化させる再生装置の発明がなされており、その一例を特許文献１に見ることができる。
【０００５】
特許文献１に記載の発明は、記録媒体に記録された放送情報を再生する際に、記録媒体に記録されたＣＭ識別情報に基づいて、ＣＭ期間のスキップ、ＣＭ期間の早送り、ＣＭ期間の通常再生のいずれかを行う再生装置に関するものである。これによると、ＣＭ期間を自動的にスキップできるとともに、ＣＭ期間を誤検出した場合でもＣＭ期間の通常再生ができることから、ユーザの被害を最小限に抑えることができる。
【特許文献１】特開２００３−２５７１６０号公報
【発明の開示】
【発明が解決しようとする課題】
【０００６】
ここで、同じ情報であっても、ユーザによって、その情報の必要度は大きく異なることがある。例えば、ＣＭ情報をじっくり視聴したいユーザ、ＣＭ情報をあまり時間をかけずにある程度把握したいユーザ、ＣＭ情報をできるだけ時間をかけずにざっと眺めたいユーザ、ＣＭ情報を一切視聴したくないユーザなどがいるため、ＣＭ情報の必要度はユーザによって大きく異なる。
【０００７】
また、例えば、音量がある閾値以上の情報はじっくり視聴したいが、音量がある閾値未満の情報はできるだけ時間をかけずにざっと眺めたいユーザ、音量がある閾値以上の情報はあまり時間をかけずにある程度把握したいが、音量がある閾値未満の情報は一切視聴したくないユーザなどがいるため、音量の大きさに応じた情報の必要度もユーザによって大きく異なる。
【０００８】
しかしながら、特許文献１に記載の再生装置は、記録媒体に記録された放送情報を再生する際に、ＣＭ期間のスキップ、ＣＭ期間の早送り、ＣＭ期間の通常再生のいずれかを選択するものであるので、ユーザによって異なるＣＭ情報の必要度や、ユーザによって異なる音量の大きさに応じた情報の必要度などの、ユーザによって異なる情報の必要度を十分に反映した再生速度の設定を行うことはできない。
【０００９】
上記の問題点を鑑みて、本発明においては、ユーザによって異なる情報の必要度を十分に反映した再生を行うことのできる再生装置を提供することを目的とする。また、本発明の他の目的は、そのような再生装置の動作を制御するプログラムを提供することである。
【課題を解決するための手段】
【００１０】
本発明においては、再生装置は、記録媒体の記録信号を読み出し、各種信号処理を施すことによって再生を行う再生装置であって、各時点の再生速度を、前記各種信号処理の過程で得られる、各時点におけるＣＭ識別情報に応じて２つの候補速度から選択する制御部と、２つの前記候補速度のうちの１つ以上の前記候補速度を入力する候補速度入力部とを有することを特徴とする。
【００１１】
本発明においては、再生装置は、記録媒体の記録信号を読み出し、各種信号処理を施すことによって再生を行う再生装置であって、各時点の再生速度を、前記各種信号処理の過程で得られる、各時点における情報に応じて複数の候補速度から選択する制御部と、複数の前記候補速度のうちの１つ以上の前記候補速度を入力する候補速度入力部とを有することを特徴とする。
【００１２】
本発明においては、上記構成の再生装置において、前記制御部は、各時点の再生速度を、前記各種信号処理の過程で得られる、各時点におけるＣＭ識別情報に応じて２つの候補速度から選択することが望ましい。
【００１３】
本発明においては、上記構成の再生装置において、前記制御部は、各時点の再生速度を、前記各種信号処理の過程で得られる、各時点における音量情報に応じて複数の候補速度から選択することが望ましい。
【００１４】
本発明においては、上記構成の再生装置において、前記制御部は、各時点の再生速度を、前記各種信号処理の過程で得られる、各時点における音量情報と；１つ以上の閾音量情報と；の大小関係に応じて複数の候補速度から選択することとしてもよい。
【００１５】
本発明においては、上記構成の再生装置において、１つ以上の前記閾音量情報を入力する閾音量情報入力部を有することとしてもよい。
【００１６】
本発明においては、プログラムは、記録媒体の記録信号を読み出し、各種信号処理を施すことによって再生を行う再生装置の動作を制御するプログラムであって、各時点の再生速度を、前記各種信号処理の過程で得られる、各時点における情報に応じて複数の候補速度から選択する速度選択ステップと、複数の前記候補速度のうちの１つ以上の前記候補速度の入力を検出する候補速度検出ステップとを有することを特徴とする。
【００１７】
本発明においては、上記構成のプログラムにおいて、前記速度選択ステップにおいては、各時点の再生速度を、前記各種信号処理の過程で得られる、各時点におけるＣＭ識別情報に応じて２つの候補速度から選択することが望ましい。
【００１８】
本発明においては、上記構成のプログラムにおいて、前記速度選択ステップにおいては、各時点の再生速度を、前記各種信号処理の過程で得られる、各時点における音量情報に応じて複数の候補速度から選択することが望ましい。
【発明の効果】
【００１９】
本発明の再生装置は、各時点の再生速度を、各種信号処理の過程で得られる、各時点における情報に応じて複数の候補速度から選択する制御部と、複数の候補速度のうちの１つ以上の候補速度を入力する候補速度入力部とを有するので、候補速度入力部によって、ユーザが自分に適した候補速度を入力することによって、ユーザによって異なる情報の必要度を十分に反映した再生を行うことができる。
【００２０】
本発明の再生装置は、各時点の再生速度を、各種信号処理の過程で得られる、各時点におけるＣＭ識別情報に応じて２つの候補速度から選択する制御部と、２つの候補速度のうちの１つ以上の候補速度を入力する候補速度入力部とを有するので、候補速度入力部によって、ユーザが自分に適した候補速度を入力することによって、ユーザによって異なるＣＭ情報の必要度を十分に反映した再生を行うことができる。
【００２１】
本発明の再生装置は、各時点の再生速度を、各種信号処理の過程で得られる、各時点における音量情報に応じて複数の候補速度から選択する制御部と、複数の候補速度のうちの１つ以上の候補速度を入力する候補速度入力部とを有するので、候補速度入力部によって、ユーザが自分に適した候補速度を入力することによって、ユーザによって異なる音量の大きさに応じた情報の必要度を十分に反映した再生を行うことができる。
【発明を実施するための最良の形態】
【００２２】
本発明の実施形態について、図面を用いて説明すれば以下の通りである。
【００２３】
（第１の実施形態）
図１は、本発明の第１の実施形態に係るＤＶＤレコーダ１０（再生装置）の概略の構成を示すブロック図である。ＤＶＤレコーダ１０は、チューナ１１と、ＭＰＥＧエンコーダ１２と、ＤＶＤドライブ１３と、ＭＰＥＧデコーダ１４と、表示制御部１５と、受信部１６と、リモコン１７（候補速度入力部、閾音量情報入力部）と、ＣＰＵ１８（制御部）とを有している。
【００２４】
なお、リモコン１７は、ＤＶＤレコーダ本体と独立して持ち運び可能である。そして、チューナ１１にはアンテナ２０が接続され、表示制御部１５にはテレビジョン装置３０が接続されている。また、ＤＶＤドライブ１３にはＤＶＤ４０（記録媒体）が載置されている。
【００２５】
ＤＶＤレコーダ１０が放送情報をＤＶＤ４０に記録する際の概略の処理の流れは以下の通りである。まず、アンテナ２０が放送信号を受信し、これをチューナ１１へ伝達する。チューナ１１は、アンテナ２０から伝達された放送信号から所望のチャンネルの放送信号を抽出し、これをＭＰＥＧエンコーダ１２へ伝達する。ＭＰＥＧエンコーダ１２は、チューナ１１から伝達された放送信号に対するエンコード（圧縮）を行い、得られた記録信号をＤＶＤドライブ１３へ伝達する。ＤＶＤドライブ１３は、ＭＰＥＧエンコーダ１２から伝達された記録信号をＤＶＤ４０に記録する。
【００２６】
また、ＤＶＤレコーダ１０がＤＶＤ４０に記録された情報を再生する際の概略の処理の流れは以下の通りである。まず、ＤＶＤドライブ１３がＤＶＤ４０の記録信号を読み出し、これをＭＰＥＧデコーダ１４へ伝達する。ＭＰＥＧデコーダ１４は、ＤＶＤドライブ１３から伝達された記録信号に対するデコード（伸長）を行い、得られた再生信号を表示制御部１５へ伝達する。表示制御部１５は、ＭＰＥＧデコーダ１４から伝達された再生信号に基づく情報をテレビジョン装置３０に表示させる。
【００２７】
受信部１６は、リモコン１７から送信された赤外線信号を受信し、これを電気信号に変換してＣＰＵ１８へ伝達する。
【００２８】
ＣＰＵ１８は、チューナ１１と、ＭＰＥＧエンコーダ１２と、ＤＶＤドライブ１３と、ＭＰＥＧデコーダ１４と、表示制御部１５と、受信部１６とに接続され、これらに対して制御指示信号を伝達することで、各種動作を実行させている。
【００２９】
本実施形態に係るＤＶＤレコーダ１０がＤＶＤ４０に記録された放送情報を再生する際には、ＣＰＵ１８は、番組情報の再生速度とＣＭ情報の再生速度とを変化させる制御を行うことができる。以下で、この詳細について説明する。
【００３０】
まず、ＣＭ再生速度の入力手順について説明する。ＤＶＤレコーダ１０及びテレビジョン装置３０の電源が入力されているときに、ユーザがリモコン１７の入力キーの押下によって、ＣＭ再生速度入力指令を行うと、ＣＭ再生速度入力指令を示す赤外線信号がリモコン１７から受信部１６へ送信される。受信部１６は、ＣＭ再生速度入力指令を示す赤外線信号を受信すると、これを電気信号に変換してＣＰＵ１８へ伝達する。
【００３１】
すると、ＣＰＵ１８は、表示制御部１５に、ＣＭ再生速度入力画面の表示を行わせる。図２は、テレビジョン装置３０に表示されるＣＭ再生速度入力画面を示す説明図である。ＣＭ再生速度入力画面は、ＣＭ再生速度リスト表示部３１と、ＣＭ再生速度選択カーソル３２とを有している。
【００３２】
ＣＭ再生速度リスト表示部３１は、実現可能なＣＭ再生速度のリストを表示する部分である。図２においては、ＣＭ再生速度リスト表示部３１には、実現可能なＣＭ再生速度として、１倍速（通常の再生速度）、２倍速、８倍速、１６倍速、５０倍速、１００倍速、スキップが表示されている。ＣＭ再生速度選択カーソル３２は、ユーザによるＣＭ再生速度の選択に利用されるカーソルである。
【００３３】
テレビジョン装置３０にＣＭ再生速度入力画面が表示されているときに、ユーザがリモコン１７の入力キーの押下によってＣＭ再生速度の選択指令を行うと、ＣＭ再生速度の選択指令を示す赤外線信号がリモコン１７から受信部１６へ送信される。受信部１６は、ＣＭ再生速度の選択指令を示す赤外線信号を受信すると、これを電気信号に変換してＣＰＵ１８へ伝達する。
【００３４】
すると、ＣＰＵ１８は、その時点でＣＭ再生速度選択カーソル３２によって選択されているＣＭ再生速度を不図示のメモリに記憶する。これによって、ＣＭ再生速度の入力手順が完了する。
【００３５】
次に、ＤＶＤレコーダ１０がＤＶＤ４０に記録された放送情報を再生する際のＣＰＵ１８の制御動作について説明する。ＤＶＤレコーダ１０及びテレビジョン装置３０の電源が入力されているときに、ユーザがリモコン１７の入力キーの押下によって、ＤＶＤ４０に記録された放送情報の再生指令を行うと、再生指令を示す赤外線信号がリモコン１７から受信部１６へ送信される。受信部１６は、再生指令を示す赤外線信号を受信すると、これを電気信号に変換してＣＰＵ１８へ伝達する。
【００３６】
すると、ＣＰＵ１８は、ＤＶＤ４０に記録された放送情報の再生が行われるように、ＤＶＤドライブ１３と、ＭＰＥＧデコーダ１４と、表示制御部１５との動作を制御する。ここで、ＣＰＵ１８の不図示のメモリに記憶されているＣＭ再生速度が１倍速以外のＣＭ再生速度である場合には、ＣＰＵ１８は、各時点の再生速度を、ＤＶＤドライブ１３と、ＭＰＥＧデコーダ１４と、表示制御部１５とによる信号処理の過程で得られる、各時点におけるＣＭ識別情報に応じて、ＣＰＵ１８の不図示のメモリに記憶されているＣＭ再生速度と、１倍速（通常の再生速度）とから選択し、選択した再生速度で再生が行われるように、ＤＶＤドライブ１３と、ＭＰＥＧデコーダ１４と、表示制御部１５との動作を制御する。
【００３７】
なお、ＤＶＤ４０に記録された放送情報がアナログＴＶ放送情報である場合には、該放送情報の記録の際に、アナログＴＶ放送信号に付加されている、ステレオ音声放送を識別するための、聴取不可能な周波数帯域の特定周波数信号が併せて記録されるのが一般的であるので、この特定周波数信号をＣＭ識別情報として用いることができる。
【００３８】
また、ＤＶＤ４０に記録された放送情報が地上波ディジタル放送情報である場合には、該放送情報の記録の際に、地上波ディジタル放送信号に付加されている、番組情報とＣＭ情報との識別符号ＩＤが併せて記録されるのが一般的であるので、この識別符号ＩＤをＣＭ識別情報として用いることができる。
【００３９】
次に、ＤＶＤレコーダ１０がＤＶＤ４０に記録された放送情報を再生する際のＣＰＵ１８の制御手順について説明する。図３は、第１の実施形態に係るＤＶＤレコーダ１０がＤＶＤ４０に記録された放送情報を再生する際のＣＰＵ１８の制御手順を示すフローチャートである。ＣＰＵ１８は、再生指令を受信すると（Ｓ１）、１倍速で再生が行われるように、ＤＶＤドライブ１３と、ＭＰＥＧデコーダ１４と、表示制御部１５との動作を制御する（Ｓ２）。
【００４０】
次に、ＣＰＵ１８は、再生終了指令がなされたか否かを検出する（Ｓ３）。Ｓ３において再生終了指令がなされた場合には、ＣＰＵ１８は、再生を終了するように、ＤＶＤドライブ１３と、ＭＰＥＧデコーダ１４と、表示制御部１５との動作を制御する（Ｓ４）。一方、Ｓ３において再生終了指令がなされていない場合には、ＣＰＵ１８は、ＤＶＤドライブ１３と、ＭＰＥＧデコーダ１４と、表示制御部１５とによる信号処理の過程で得られるＣＭ識別情報を検出することによって、ＣＭ再生中であるか否かを検出する（Ｓ５）。
【００４１】
Ｓ５においてＣＭ再生中である場合には、ＣＰＵ１８は、ＣＰＵ１８の不図示のメモリに記憶されているＣＭ再生速度で再生が行われるように、ＤＶＤドライブ１３と、ＭＰＥＧデコーダ１４と、表示制御部１５との動作を制御する（Ｓ６）。そして、ＣＰＵ１８は、ＤＶＤドライブ１３と、ＭＰＥＧデコーダ１４と、表示制御部１５とによる信号処理の過程で得られるＣＭ識別情報を検出することによってＣＭ再生の終了を監視し（Ｓ７）、ＣＭ再生が終了した場合にはＳ２へ戻る。一方、Ｓ５において、ＣＭ再生中でない場合には、Ｓ２へ戻る。
【００４２】
上記実施形態に係るＤＶＤレコーダ１０は、各時点の再生速度を、ＤＶＤドライブ１３と、ＭＰＥＧデコーダ１４と、表示制御部１５とによる信号処理の過程で得られる、各時点におけるＣＭ識別情報に応じてＣＰＵ１８の不図示のメモリに記憶されているＣＭ再生速度と、通常の再生速度とから選択するので、図２のＣＭ再生速度入力画面において、ユーザが自分に適したＣＭ再生速度を入力することによって、ユーザによって異なるＣＭ情報の必要度を十分に反映した再生を行うことができる。
【００４３】
（第２の実施形態）
次に、本発明の第２の実施形態について説明する。本実施形態に係る再生装置の概略の構成は、第１の実施形態に係る再生装置の概略の構成と同一であるので、以下では、第１の実施形態と同様に、図１のＤＶＤレコーダ１０を用いて説明を行う。
【００４４】
本実施形態に係るＤＶＤレコーダ１０がＤＶＤ４０に記録された情報を再生する際には、ＣＰＵ１８は、各時点の再生速度を、各時点における音量が閾音量以上か否かに応じて変化させる制御を行うことができる。以下で、この詳細について説明する。
【００４５】
まず、音量が閾音量未満の場合の再生速度（以下、第１の再生速度とする）と、音量が閾音量以上の場合の再生速度（以下、第２の再生速度とする）と、閾音量との入力手順について説明する。ＤＶＤレコーダ１０及びテレビジョン装置３０の電源が入力されているときに、ユーザがリモコン１７の入力キーの押下によって、閾音量関連情報入力指令を行うと、閾音量関連情報入力指令を示す赤外線信号がリモコン１７から受信部１６へ送信される。受信部１６は、閾音量関連情報入力指令を示す赤外線信号を受信すると、これを電気信号に変換してＣＰＵ１８へ伝達する。
【００４６】
すると、ＣＰＵ１８は、表示制御部１５に、閾音量関連情報入力画面の表示を行わせる。図４は、テレビジョン装置３０に表示される閾音量関連情報入力画面を示す説明図である。閾音量関連情報入力画面は、第１の再生速度リスト表示部３０１と、第２の再生速度リスト表示部３０２と、閾音量バー表示部３０３と、第１の再生速度選択カーソル３０４と、第２の再生速度選択カーソル３０５と、閾音量選択矢印３０６とを有している。
【００４７】
第１の再生速度リスト表示部３０１は、第１の再生速度として実現可能な再生速度のリストを表示する部分である。第２の再生速度リスト表示部３０２は、第２の再生速度として実現可能な再生速度のリストを表示する部分である。図４においては、第１の再生速度リスト表示部３０１と、第２の再生速度リスト表示部３０２とには、共に、実現可能な再生速度として、１倍速（通常の再生速度）、２倍速、８倍速、１６倍速、５０倍速、１００倍速、スキップが表示されている。閾音量バー表示部３０３は、閾音量として設定可能な音量をメモリとするバーを表示する部分である。
【００４８】
第１の再生速度選択カーソル３０４は、ユーザによる、第１の再生速度の選択に利用されるカーソルである。第２の再生速度選択カーソル３０５は、ユーザによる、第２の再生速度の選択に利用されるカーソルである。閾音量選択矢印３０６は、ユーザによる、閾音量の選択に利用される矢印である。
【００４９】
テレビジョン装置３０に閾音量関連情報入力画面が表示されているときに、ユーザがリモコン１７の入力キーの押下によって閾音量関連情報の選択指令を行うと、閾音量関連情報の選択指令を示す赤外線信号がリモコン１７から受信部１６へ送信される。受信部１６は、閾音量関連情報の選択指令を示す赤外線信号を受信すると、これを電気信号に変換してＣＰＵ１８へ伝達する。
【００５０】
すると、第１の再生速度選択カーソル３０４がアクティブとされている場合には、ＣＰＵ１８は、その時点で第１の再生速度選択カーソル３０４によって選択されている第１の再生速度を不図示のメモリに記憶する。また、第２の再生速度選択カーソル３０５がアクティブとされている場合には、ＣＰＵ１８は、その時点で第２の再生速度選択カーソル３０５によって選択されている第２の再生速度を不図示のメモリに記憶する。
【００５１】
また、閾音量選択矢印３０６がアクティブとされている場合には、ＣＰＵ１８は、その時点で閾音量選択矢印３０６によって選択されている閾音量を不図示のメモリに記憶する。以上によって、閾音量関連情報の入力手順が完了する。
【００５２】
なお、閾音量関連情報入力画面が表示されているときに、ユーザによって、閾音量選択矢印３０６がアクティブとされた際及び閾音量選択矢印３０６が移動された際には、その時点での閾音量をアラーム音などによって出力することで、ユーザに閾音量がどの程度の大きさなのかを知らせるようにするとよい。
【００５３】
次に、ＤＶＤレコーダ１０がＤＶＤ４０に記録された情報を再生する際のＣＰＵ１８の制御動作について説明する。ＤＶＤレコーダ１０及びテレビジョン装置３０の電源が入力されているときに、ユーザがリモコン１７の入力キーの押下によって、ＤＶＤ４０に記録された情報の再生指令を行うと、再生指令を示す赤外線信号がリモコン１７から受信部１６へ送信される。受信部１６は、再生指令を示す赤外線信号を受信すると、これを電気信号に変換してＣＰＵ１８へ伝達する。
【００５４】
すると、ＣＰＵ１８は、ＤＶＤ４０に記録された情報の再生が行われるように、ＤＶＤドライブ１３と、ＭＰＥＧデコーダ１４と、表示制御部１５との動作を制御する。ここで、不図示のメモリに記憶されている第１の再生速度と、不図示のメモリに記憶されている第２の再生速度とが異なる場合には、ＣＰＵ１８は、各時点の再生速度を、ＤＶＤドライブ１３と、ＭＰＥＧデコーダ１４と、表示制御部１５とによる信号処理の過程で得られる、各時点における音量情報と、不図示のメモリに記憶されている閾音量情報との大小関係に応じて、不図示のメモリに記憶されている第１の再生速度と、不図示のメモリに記憶されている第２の再生速度とから選択し、選択した再生速度で再生が行われるように、ＤＶＤドライブ１３と、ＭＰＥＧデコーダ１４と、表示制御部１５との動作を制御する。
【００５５】
次に、ＤＶＤレコーダ１０がＤＶＤ４０に記録された情報を再生する際のＣＰＵ１８の制御手順について以下で説明する。図５は、第２の実施形態に係るＤＶＤレコーダ１０がＤＶＤ４０に記録された情報を再生する際のＣＰＵ１８の制御手順を示すフローチャートである。ＣＰＵ１８は、再生指令を受信すると（Ｓ２１）、不図示のメモリに記憶されている第１の再生速度で再生が行われるように、ＤＶＤドライブ１３と、ＭＰＥＧデコーダ１４と、表示制御部１５との動作を制御する（Ｓ２２）。
【００５６】
次に、ＣＰＵ１８は、再生終了指令がなされたか否かを検出する（Ｓ２３）。Ｓ２３において再生終了指令がなされた場合には、ＣＰＵ１８は、再生を終了するように、ＤＶＤドライブ１３と、ＭＰＥＧデコーダ１４と、表示制御部１５との動作を制御する（Ｓ２４）。一方、Ｓ２３において再生終了指令がなされていない場合には、ＣＰＵ１８は、ＤＶＤドライブ１３と、ＭＰＥＧデコーダ１４と、表示制御部１５とによる信号処理の過程で得られる音量情報と、不図示のメモリに記憶されている閾音量情報とを比較することによって、その時点の音量が閾音量以上であるか否かを検出する（Ｓ２５）。
【００５７】
Ｓ２５において、その時点の音量が閾音量以上である場合には、ＣＰＵ１８は、ＣＰＵ１８の不図示のメモリに記憶されている第２の再生速度で再生が行われるように、ＤＶＤドライブ１３と、ＭＰＥＧデコーダ１４と、表示制御部１５との動作を制御する（Ｓ２６）。そして、ＣＰＵ１８は、ＤＶＤドライブ１３と、ＭＰＥＧデコーダ１４と、表示制御部１５とによる信号処理の過程で得られる音量情報と、不図示のメモリに記憶されている閾音量情報とを比較することによって、その時点の音量が閾音量未満であるか否かを監視し（Ｓ２７）、その時点の音量が閾音量未満である場合にはＳ２２へ戻る。一方、Ｓ２５において、その時点の音量が閾音量未満である場合には、Ｓ２２へ戻る。
【００５８】
上記実施形態に係るＤＶＤレコーダ１０は、各時点の再生速度を、ＤＶＤドライブ１３と、ＭＰＥＧデコーダ１４と、表示制御部１５とによる信号処理の過程で得られる、各時点における音量情報と、不図示のメモリに記憶されている閾音量情報との大小関係に応じて、不図示のメモリに記憶されている第１の再生速度と、不図示のメモリに記憶されている第２の再生速度とから選択するので、図４の閾音量関連情報入力画面において、ユーザが自分に適した閾音量関連情報を入力することによって、ユーザによって異なる音量の大きさに応じた情報の必要度を十分に反映した再生を行うことができる。
【００５９】
なお、上記実施形態に係るＤＶＤレコーダ１０においては、入力できる閾音量は１つのみであったが、ｎ（ｎ≧２、ｎは整数）個の閾音量を入力できるものとしてもよい。この場合には、再生速度は、第１の再生速度から第ｎ＋１の再生速度まで入力できることとすればよい。
【００６０】
また、上記実施形態に係るＤＶＤレコーダ１０においては、図５のＳ２５における閾音量と、Ｓ２７における閾音量とを同一の閾音量としたが、これを異なる閾音量としても構わない。つまり、第１の再生速度から第２の再生速度に移る際の閾音量と、第２の再生速度から第１の再生速度に移る際の閾音量とを異なるものとしてもよい。
【００６１】
なお、本発明は上記の実施形態に限定されず、本発明の趣旨を逸脱しない範囲で種々の変更が可能である。例えば、本発明の再生装置は、記録媒体の記録信号を読み出し、各種信号処理を施すことによって再生を行うものであればよく、ハードディスクレコーダなどであってもよい。
【００６２】
また、上記の第１の実施形態に記載の、番組情報の再生速度とＣＭ情報の再生速度とを変化させる制御と；上記の第２の実施形態に記載の、各時点の再生速度を、各時点における音量が閾音量以上か否かに応じて変化させる制御と；を共に行うことができる制御部を有する再生装置を構成することももちろん可能である。
【産業上の利用可能性】
【００６３】
本発明は、記録媒体の記録信号を読み出し、各種信号処理を施すことによって再生を行う再生装置として有効である。また、本発明は、そのような再生装置の動作を制御するプログラムとして有効である。
【図面の簡単な説明】
【００６４】
【図１】ＤＶＤレコーダ１０の概略の構成を示すブロック図。
【図２】テレビジョン装置３０に表示されるＣＭ再生速度入力画面を示す説明図。
【図３】第１の実施形態に係るＤＶＤレコーダ１０がＤＶＤ４０に記録された放送情報を再生する際のＣＰＵ１８の制御手順を示すフローチャート。
【図４】テレビジョン装置３０に表示される閾音量関連情報入力画面を示す説明図。
【図５】第２の実施形態に係るＤＶＤレコーダ１０がＤＶＤ４０に記録された情報を再生する際のＣＰＵ１８の制御手順を示すフローチャート
【符号の説明】
【００６５】
１０    ＤＶＤレコーダ（再生装置）
１７    リモコン（候補速度入力部、閾音量情報入力部）
１８    ＣＰＵ（制御部）
４０    ＤＶＤ（記録媒体）
【図１】
2008097708.tif 000003
【図２】
2008097708.tif 000004
【図３】
2008097708.tif 000005
【図４】
2008097708.tif 000006
【図５】
2008097708.tif 000007